【事件の表示】
　特許第２６８１５５５号「化粧料」の特許に対する特許異議の申立てについて、次のとおり決定する。
【結論】
　訂正を認める。
　特許第２６８１５５５号の特許を維持する。
【理由】
Ｉ．手続の経緯
　特許第２６８１５５５号の請求項１に係る発明についての出願は、平成３年８月１６日に特許出願され、平成９年８月８日にその発明について特許の設定登録がなされ、その後、谷川睦子、忽那哲也及び山口七江より特許異議の申立てがなされ、取り消し理由通知がなされ、その指定期間内である平成１０年１１月４日に訂正請求がなされた後、再度取り消し理由通知がなされ、その指定期間内である平成１１年３月２３日に訂正請求がなされたものである。
ＩＩ．訂正の適否についての判断
　上記訂正は、（１）特許請求の範囲の請求項１に記載の「次の成分（Ａ）及び（Ｂ）を含有する」、「（Ｂ）疎水化処理粉末」を、それぞれ「次の成分（Ａ）及び（Ｂ）を含有し、かつ成分（Ａ）と（Ｂ）とは複合体を形成していない」、「（Ｂ）オクテニルコハク酸デンプンエステルアルミニウム以外の疎水化処理粉末」に、（２）明細書【０００７】に記載の「（Ｂ）疎水化処理粉末」、「を含有する」を、それぞれ「（Ｂ）オクテニルコハク酸デンプンエステルアルミニウム以外の疎水化処理粉末（以下、疎水化処理粉体と称する）」、「を含有し、かつ成分（Ａ）と（Ｂ）とは複合体を形成していない」に訂正するものである。
　そこで、この訂正事項を検討すると、
１．（１）の訂正は、成分（Ａ）と（Ｂ）が複合体を形成している場合を除き、「疎水化処理粉体」から「オクテニルコハク酸デンプンエステルアルミニウム」を除くものであるから、特許請求の範囲の減縮を目的とするものである。（２）の訂正は、（１）の訂正に伴い、訂正後の特許請求の範囲の記載と発明の詳細な説明中の記載との整合を図るものであるから、発明の詳細な説明の欄中の明りょうでない記載の釈明を目的とするものである。
　そして、前記訂正は、実質上特許請求の範囲を拡張又は変更するものではなく、また、願書に添付した明細書に記載した事項の範囲内のものであり、更に、訂正明細書の請求項１に係る発明は、後述のとおり、特許出願の際独立して特許を受けることができるものと認められる。
　以上のことから、上記訂正請求は、特許法第１２０条の４第２項及び同条第３項で準用する特許法第１２６条第２−４項の規定に適合するので、当該訂正を認める。
ＩＩＩ．特許異議申立てについての判断
１．本件発明
　訂正明細書の請求項１に係る発明（以下「本件発明」という。）は、その特許請求の範囲の請求項１に記載された次の事項により特定されるとおりのものである。
　請求項１「次の成分（Ａ）及び（Ｂ）を含有し、かつ成分（Ａ）と（Ｂ）とは複合体を形成していないことを特徴とする化粧料。
　（Ａ）ポリメチルシルセスキオキサン粉末
　（Ｂ）オクテニルコハク酸デンプンエステルアルミニウム以外の疎水化処理粉体」
２．申立ての理由の概要
（１）申立人谷川睦子は、証拠として特願平３−１００３１５号（特開平４−３０８５２０号公報）（甲第１号証）、伊藤邦雄編「シリコーンハンドブック」第４８８〜４８９頁（１９９０年８月３１日日刊工業新聞社発行）（甲第２号証）、「材料技術」第５巻第７号、第３４１〜３４４頁（１９８７年７月２５日発行）（甲第３号証）、特開昭５８−３９６０９号公報（甲第４号証）、特開平１−２６１３１６号公報（甲第５号証）及び特開昭６３−２９７３１３号公報（甲第６号証）をそれぞれ提出し、本件発明は、（Ａ）その出願日前の他の出願であって、その出願後に出願公開された甲第１号証の願書に最初に添付した明細書及び図面（以下「先願明細書」という。）に記載された発明と同一であると認められ、しかも、本件発明の発明者が先願明細書に記載された発明の発明者と同一であるとも、この出願の時において、その出願人が前記他の出願の出願人と同一であるとも認められないので、本件発明の特許は、特許法第２９条の２第１項の規定により、若しくは、（Ｂ）本件発明は、甲第４〜６号証に記載された発明に基づいて当業者が容易に発明をすることができたものであるから、特許法第２９条第２項の規定により特許を受けることができないものであるから、本件発明についての特許を取り消すべきである旨主張し、また、
（２）申立人忽那哲也は、証拠として特開平２−２４７１０９号公報（甲第１号証、平成１０年１２月２５日付けで通知の取消理由で引用した刊行物１）、特開昭６３−２９７３１３号公報（甲第２号証、平成１０年１２月２５日で通知の取消理由で引用した刊行物２）、特開平２−２１８６０３号公報（甲第３号証）、「ＣＯＳＭＴＩＣ　ＲＥＳＥＡＲＣＨ　（ＵＳＡ　ＮＥＷＳ）」第５４頁（１９８７年６／７月）（甲第４号証、平成１０年８月１９日付けで通知の取消理由で引用した刊行物１）、米国特許第２，６１３，２０６号明細書（甲第５号証、平成１０年８月１９日付けで通知の取消理由で引用した刊行物３）及び特開昭６３−２９５６３７号公報（甲第６号証）をそれぞれ提出し、本件発明は、甲第１〜３号証に記載された発明に基づいて、また、甲第４、５号証に記載された発明に基づいて当業者が容易に発明をすることができたものであるので、特許法第２９条第２項の規定により特許を受けることができないものであり、本件発明についての特許を取り消されるべきである旨主張し、更に、
（３）申立人山口七江は、証拠として特開平４−３１２５１１号公報（甲第１号証）、「ＣＯＳＭＥＴＩＣ　ＲＥＳＥＡＲＣＨ（ＵＳＡ　ＮＥＷＳ）」第５４頁（１９８７年６／７月）（甲第２号証、平成１０年８月１９日付け通知の取消理由で引用した刊行物１）、Ｋａｎｅｂｏ−ＮＳＣ（Ｆｅａｔｕｒｅｓ　＆　Ｂｅｎｅｔｉｔｓ）「ＲＥＳＩＮＳ（樹脂）」カタログ（技術資料９２０９０６）（甲第３号証、平成１０年８月１９日付けで通知の取消理由で引用した刊行物２）、米国特許第２，６１３，２０６号明細書（甲第４号証、平成１０年８月１９日付けで通知の取消理由で引用した刊行物３）、特開昭６０−２４３００６号公報（甲第５号証）、特開昭５５−１６７２０９号公報（甲第６号証）及び特開平１−２６８６１５号公報（甲第７号証）をそれぞれ提出し、本件発明は、（Ａ）その出願日前の他の出願であって、その出願後に出願公開された甲第１号証の願書に最初に添付した明細書及び図面（以下「先願明細書」という。）に記載された発明と同一であると認められ、しかも、本件発明の発明者が先願明細書に記載された発明の発明者と同一であると認められ、しかも、本件発明の発明者が先願明細書に記載された発明の発明者と同一であるとも、この出願の時において、その出願人が前記他の出願の出願人と同一であるとも認められないので、特許法第２９条の２第１項の規定により、（Ｂ）本件発明は、甲第２号証に記載された発明であるから、特許法第２９条第１項第３号に該当し、若しくは、本件発明は、甲第５号証又は甲第６号証に記載された発明と甲第７号証に記載された発明とに基づいて、或いは甲第２号証に記載された発明と甲第６号証に記載された発明とに基づいて当業者が容易に発明をすることができたものであるから、特許法第２９条第２項の規定により特許を受けることができないものであり、本件発明についての特許を取り消すべきである旨主張する。
３．申立人が提出した甲号各証記載の発明
（１）申立人谷川睦子が提出した甲第１号証には、（Ａ）撥水化処理粉体、（Ｂ）油剤、（Ｃ）水を含有するＷ／Ｏ型メイクアップ化粧料、実施例３のアイシヤドウとして、着色顔料、ステアリン酸亜鉛、雲母チタン、タルク、カオリンをフルオロシリコーンゴムで疎水化処理したフルオロシリコーン被覆顔料、シリコーンパウダー、モノステアリン酸グリセリン、ジメチルオクタン酸ヘキシルデシル、ヘキサデシルアルコール、ソルビトール、香料、水からなる組成が記載されている。同じく甲第２号証には、シリコーンパウダーと題して、シリコーンレジンを微細な粉末状に分散硬化したもので６）、製造法により、球状微粒子のものと不定型粉体があり、特に球状シリコーンパウダーは、比重が軽い、耐熱性、潤滑性、撥水性がすぐれるなど、シリコーンのもつすぐれた性能をそのまま有し、化粧品の使用感の向上などを目的として、さまざまな材料に添加され、応用が広がっていること、「６）「村井：球状シリコーン樹脂の性質と応用，東芝レビュー，Ｖｏｌ．５，Ｎｏ．７，ｐ．３４１〜３４４（１９８７）」が記載されている。同じく甲第３号証には、村井文治郎の著者名で「球状シリコーン樹脂微粒子の性質と応用」と題し、「５．球状シリコーン樹脂微粒子の特性」の項において、シリコーン樹脂微粒子には不定形の「トスパール２４０」と、真球状の「トスパール１２０」の２種が商品化されていることが記載されている。同じく甲第４号証には、疎水化シリカ、水及び滑沢剤を配合してなる粉体化粧料、その滑沢剤としてシリコーンパウダーも用いられることが記載されている。同じく甲第５号証には、疎水化処理された粉末と、油溶性樹脂とを配合した水中油型乳化化粧料に関し、「従来から化粧料、特にメイクアップ化粧料及びサンスクリーン化粧料において、化粧持ちの向上が望まれている。その為には化粧料に耐水性、耐油性及び二次付着防止機能を付与しなければならない。従来の乳化化粧料では使用する顔料を疎水化処理したり、油溶性樹脂、水溶性樹脂を配合したり油中水型乳化化粧料にするという方法が採られている。」が記載されている。甲第６号証には、ポリメチルシルセスキオキサン粉末を含有するメークアップ化粧料に関し、ポリメチルシルセスキオキサン粉末は、本発明のメークアップ化粧料の肌へのなめらかな塗擦感やしっとりした感触を与え、また化粧料成分として併用する顔料粉末の機能をより高めることに資する本発明における特徴的な成分であることが記載されている。
（２）申立人忽那哲也が提出した甲第１号証には、経時的に疎水性が安定であり、含有する化粧料用油剤等の変質がなく、かつ分散性及び流動性に優れた、紫外線防御効果の高い化粧料に関し、略球形の酸化チタンをケイ酸水和物から成る混合水和物で被覆処理し、更にシリコン油で表面を被覆処理してなる粉体を含有する化粧料、シリコン油による表面処理は汗や水による化粧くずれの防止、化粧料用油剤との親和性の問題等から行うものであること、この処理粉体は、他の球状粉体と複合化することにより、肌上での伸びのよさ、きしみ感の無き等の使用感を著しくできること、他の球状粉体としては無機粉体、有機粉体のいずれでもよく、その中でシリコン樹脂も例示され、その球状粉体の粒径は０．５〜１００μｍ、特に５〜２０μｍが好ましいことが記載されている。同じく甲第２号証には、ポリメチルセスキオキサン粉体を含有する化粧料、粉体の形状は独立したほぼ真球状であり、平均粒子径０．０５〜１００μｍが好ましく、さらには０．１〜２０μｍが好ましいこと、粉体はメークアップ化粧料の肌へのなめらかな塗擦感やしっとりした感触を与え、また化粧料成分として併用する顔料粉末の機能をより高めることに資することが記載されている。同じく甲第３号証には、パーフルオロアルキルシランで無機、有機粉体を処理した疎水化粉体を含有する化粧料、この化粧料は、耐水性、耐皮脂性及び耐油性に優れ、化粧くずれが少ないので化粧もちが良く、肌への密着感が良く、適度なしっとり感を有するので脂溶性が良好であることが記載されている。同じく甲第４号証には、メチルポリシルセスキオキサンとオクテニルコハク酸デンプンエステルアルミニウムを含有するおしろいが記載されている。同じく甲第５号証には、アルケニルコハク酸デンプンエステル金属塩はデンプン表面の水酸基がエステル化されたアルケニルコハク酸エステルの２〜４価金属塩であり、水による湿潤に対して抵抗性があること、実施例ＶＩＩには、デンプンをオクテニルコハク酸無水物および硫酸第二セリウムで処理して、実施例Ｉと同様の性質を有するデンプン誘導体がえられたこと、その実施例Ｉには、デンプンをオクテニルコハク酸無水物および硫酸第二セリウムで処理し、ついで硫酸アルミニウムと反応させたデンプン誘導体が粒状物として得られ、このものは流動性に優れ、水による湿潤に対する強い抵抗性があることが記載されている。
（３）申立人山口七江が提出した甲第１号証には、シリコーン樹脂を配合した化粧料に関し、球状メチルポリシルセスキオキサン樹脂微粒子、シリコーン樹脂Ａ−５を含有するハンドクリームの実施例６、シリコーン樹脂の置換基が撥水性の基であること、効果として、のびがよく、且つ皮膚に塗布したときにさっぱりした感触を有し、汗などによる化粧崩れがなく、さらに水洗などによっても容易に洗い流されることのない良好な安定性を有することが記載されている。同じく甲第２号証には、メチルポリシルセスキオキサンとオクテニルコハク酸デンプンエステルアルミニウムを含有するおしろいが記載されている。同じく甲第３号証には、オクテニルコハク酸トウモロコシデンプンエステルアルミニウムが疎水性で流動性の高い白色粉末であることが記載されている。同じく甲第４号証には、オクテニルコハク酸デンプンエステルアルミニウムの総称であるデンプンと置換ジカルボン酸からなるエステルの金属塩、その製法として、疎水性置換基を有するコハク酸無水物とデンプンとを反応させること、得られた反応物とアルミニウム等の金属とを反応させることにより、デンプンと置換ジカルボン酸からなるエステルの金属塩が得られること、そして、この化合物が水濡れに対して耐性があること、また、実施例ＶＩＩのオクテニルコハク酸デンプンエステルセリウムの製造方法、この化合物は、実施例Ｉのデセニルコハク酸デンプンエステルアルミニウムと同様、流動性のある粉体であり、耐水性があることが記載されている。同じく甲第５号証には、体質顔料等の無機粉体あるいはデンプン、ナイロンパウダー等の有機粉体の表面をシリコーン処理、金属石ケン処理あるいはアミノ酸処理して撥水性をもたせた粉体を化粧料に用いた場合、化粧料の使用感、付着性、伸び、付き等が改善されることが記載されている。同じく甲第６号証には、無機粉体や有機粉末をフッ素を含有する重合体からなる撥水撥油剤で処理した粉体は、おしろい、コンパウンドパウダー、ファンデーション、アイカラーパウダー等の化粧料に使用され、、水、発汗等による透明化がなく、また、化粧崩れを生じないという効果を有していることが記載されている。同じく甲第７号証には、ポリメチルシルセスキオキサン粉末を含有する化粧料は、塗布時の油性感、べたつきがなく、さらっとした滑らかな感触を有するという効果が記載されている。
４．対比・判断
　上記（１）の主張に対して
（Ａ）本件発明で用いるポリメチルシルセスキオキサン粉末は、甲第２及び３号証の記載を参照するまでもなく、甲第１号証記載のシリコーンパウダーに対して概念的に包含する関係にあるが、シリコーンパウダーそのものの別称ではない。
　したがって、本件発明と甲第１号証記載の発明とは、化粧料に疎水化処理粉体とシリコーンパウダーを併用する点で共通しているが、そのシリコーンパウダーについて、本件発明では特定のポリメチルシルセスキオキサンチン粉末を用いるのに対し、甲第１号証記載の発明ではどの種のものを用いるのか具体的に明記されていない点で相違している。しかも、本件発明の効果は、本件明細書に記載のとおり、特定のポリメチルシルセスキオキサンチン粉末を併用ししたことにより、化粧持ち、使用感が優れた効果を奏するものと認められ、一方、甲第１号証記載の発明ではシリコーンパウダーを併用したものが、そのような効果を奏するのか否か何も明らかにしていない。
　したがって、本件発明は甲第１号証記載の発明と同一のものとすることができない。
（Ｂ）甲第４号証では、化粧料において、疎水化シリカに併用する滑沢剤としてシリコーンパウダーも例示されているが、前述したとおり、シリコーンパウダーは、本件発明で用いられるポリメチルシルセスキオキサン粉末を包含するものの、ポリメチルシルセスキオキサン粉末の別称ではない。したがって、甲第４号証には、化粧料に関し、疎水化処理粉体とシリコーンパウダーのうち特定のポリメチルシルセスキオキサン粉末を併用する本件発明の構成要件について何も記載されていない。そして、この構成要件を採用することにより、本件明細書に記載のとおり、甲第４号証の発明からは予測できない使用感はもとより化粧持ちが優れた効果を奏するものと認められる。また、
　本件発明は、化粧料に関し、甲第５号証で用いられる疎水化処理粉末と甲第６号証で用いられるポリメチルシルセスキオキサン粉末を併用するに相当するものであるが、本件明細書の表２の記載によれば、この併用により、各々単独のものに比し、使用感はもとより化粧持ちが優れるという相乗効果を奏するものと認められる。
　したがって、本件発明は、甲第４号証又は甲第５及び６号証記載の発明から、当業者が容易に発明をすることができたものとすることはできない。
　上記（２）の主張に対して
　甲第１号証のシリコーン樹脂などの「他の球状粉体」は、粉体が０．５〜１００μｍという一定の粒径の球状でありさえずればどのような材料でもよいという意味に解され、このような粒径からみると、甲第２号証のポリメチルセスキオキサン粉末も当然包含することになるので、本件発明は、化粧料に関し、甲第１号証の疎水化処理粉体に併用される「他の粒状粉体」として甲第２号証のポリメチルセスキオキサンチン粉末を用いたに相当している。しかし、平成１１年３月２３日付特許異議意見書の追試験によれば、本件発明も甲第１号証記載のものとは両成分の併用の形が、混合粉砕によるものであっても、本件発明の単なる混合粉砕によるものであるものの方が、甲第１号証の複合化粉体が伴う混合粉砕によるものに比して、使用感につき特に優れるという効果を奏するものと認められる。
　また、甲第３号証には、化粧料に関し、疎水化処理粉体をその成分とすることが記載されているが、本件発明のようにポリメチルセスキオキサン粉末を併用すること、ましてや、甲第１号証のように「他の球状粉体」を併用することさえ記載されていない。
　したがって、本件発明は、甲第１〜３号証記載の発明から、当業者が容易に発明をすることができたものとすることができない。
　更に、甲第４号証のおしろいの成分に関し、メチルポリシルセスキオキサンと併用されるオクテニルコハク酸デンプンエステルアルミニウムが、甲第５号証の記載をして、疎水化処理粉体に属するものであっても、平成１０年１１月４日付特許異議意見書の実験によれば、オクテニルコハク酸デンプンエステルアルミニウムは他の疎水化処理粉体を併用したものに比して、化粧持ちが劣るものと認められる。しかも、本件発明では併用する疎水化処理粉体からオクテニルコハク酸デンプンエステルアルミニウムが除かれている。
　したがって、本件発明は、甲第４，５号証記載の発明から、当業者が容易に発明をすることができたものとすることができない。
　上記（３）の主張に対して
Ａ）甲第１号証の実施例６（ハンドクリーム）に使用しているシリコーン樹脂Ａ−５は、同号証第２頁右欄第１６行〜第３頁左欄第１行の【０００６】、【０００７】の段落、【００２７】の段落の記載からして、オルガノポリシルセスキオキサンのシラール基をトリオルガノシリル基のうち３，３，３−トリフルオロプロピル基で封鎖した、すなわち疎水化したシリコーン樹脂であると認められるが、該樹脂が粉体のものなのか否か全く不明である。
　そうすると、甲第１号証には、本件発明の化粧料にポリメチルシルセスキオキサン粉末に疎水化処理粉体を併用する点が開示されていないものとしか解し得ない。
　そして、本件発明は、かかる併用により、各々単独のものに比し、前述のとおりの使用感、化粧持ち共々優れるという相乗効果を奏するものと認められる。
　したがって、本件発明は甲第１号証記載の発明と同一のものとすることができない。
（Ｂ）甲第２号証のおしろいに関し、ポリメチルシルセスキオキサン粉末と併用されるオクテニルコハク酸デンプンエステルアルミニウムが、甲第３，４号証の記載をして、疎水化処理粉体に属するものであっても、本件発明では併用する疎水化処理粉体らデンプンエステルアルミニウムが除かれている。しかも、平成１０年１１月４日付異議意見書の実験によれば、オクテニルコハク酸デンプエステルアルミニウムは他の疎水化処理粉体を併用したものに比して、化粧持ちの点で劣るものと認められる。
　したがって、本件発明は甲第２号証に記載された発明とすることができない。
　また、化粧料の成分に関し、甲第５、６号証には、疎水化処理粉体が、甲第７号証には、ポリメチルシルセスキオキサン粉末が、それぞれ記載しているが、これら成分を併用したものは記載されていない。すなわち、本件発明は、甲第５，６号証に記載のものと甲第７号証に記載のものとの組み合わせに相当するが、本件発明は、この組み合わせにより、各々単独のものに比し、前述のとおりの使用感、化粧持ち共々優れるという相乗効果を奏するものと認められる。
　更に、本件発明は、甲第２号証メチルポリシルセスキオキサンに併用するオクテニルコハク酸デンプンエステルアルミニウムを甲第６号証の疎水化処理粉体に代えたものに相当するものであっても、前述のとおり、オクテニルコハク酸デンプンエステルアルミニウムは他の疎水化処理粉体を併用したものに比して、化粧持ちが劣るので、かかる甲第２号証の記載事実から、本件発明の前述の如き併用により奏する相乗効果を予測することは当業者とり到底不可能なことである。
　したがって、本件発明は、甲第５〜７号証記載の発明から、また、甲第２、６号証記載の発明から、当業者が容易に発明をすることができたものとすることができない。
　また、他に本件特許を取り消すべき理由を発見しない。
　よって、結論のとおり決定する。
【異議決定日】
平成１１年７月２６日（１９９９．７．２６）
【訂正の要旨】
　特許第２６８１５５５号の明細書中、（１）特許請求の範囲の減縮を目的として、【特許請求の範囲】の【請求項１】に記載の　「次の成分（Ａ）及び（Ｂ）を含有する」、「（Ｂ）疎水化処理粉末」を、それぞれ「次の成分（Ａ）及び（Ｂ）を含有し、かつ成分（Ａ）と（Ｂ）とは複合体を形成していない」、「（Ｂ）オクテニルコハク酸デンプンエステルアルミニウム以外の疎水化処理粉末」と訂正し、（２）これに伴い、発明の詳細な説明の欄の明りょうでない記載の釈明を目的として、【０００７】段落に記載の「（Ｂ）疎水化処理粉末」、「を含有する」を、それぞれ「（Ｂ）オクテニルコハク酸デンプンエステルアルミニウム以外の疎水化処理粉末（以下、疎水化処理粉体と称する）」、「を含有し、かつ成分（Ａ）と（Ｂ）とは複合体を形成していない」と訂正する。
（５４）【発明の名称】
化粧料
（５７）【特許請求の範囲】
　【請求項１】　次の成分（Ａ）及び（Ｂ）を含有し、かつ成分（Ａ）と（Ｂ）とは複合体を形成していないことを特徴とする化粧料。
　（Ａ）ポリメチルシルセスキオキサン粉末
　（Ｂ）オクテニルコハク酸デンプンエステルアルミニウム以外の疎水化処理粉体
【発明の詳細な説明】
　　　【０００１】
　　【産業上の利用分野】
　本発明は化粧料に関し、更に詳しくは肌への密着性が良好で、化粧くずれが少なく、さらに感触良好な化粧料に関する。
　　　【０００２】
　　【従来の技術及び発明が解決しようとする課題】
　従来、粉体を含有する化粧料としては、ファンデーション、白粉、ほほ紅、アイシャドウ、アイブロウ等のメークアップ化粧品、ボディパウダー、ベビーパウダー等のボディー化粧品が市販されている。
　　　【０００３】
　しかし、これらの化粧料用粉体を含有する化粧料においては、肌上での伸びや平滑感の欠如、及び化粧くずれなどの問題点が指摘されてきている。
　　　【０００４】
　一方、近年、粉体の肌への密着性向上、及び耐水（汗）性向上のために疎水化処理粉体が使用されている。ところが、一般に上記疎水化処理粉体を使用した場合には、伸びの悪化、感触の悪化（きしみ）等使用感の面で問題が生じてくる。
　　　【０００５】
　したがって、肌への密着性が良好で、化粧くずれが少なく、さらに感触良好な化粧料の開発が望まれていた。
　　　【０００６】
　　【課題を解決するための手段】
　本発明者らは、かかる実情に鑑み鋭意検討した結果、ポリメチルシルセスキオキサン粉末と疎水化処理粉体とを併用することにより、肌への密着性が良好で、化粧くずれが少なく、しかも感触良好な化粧料が得られることを見出し、本発明を完成するに至った。
　　　【０００７】
　すなわち、本発明は次の成分（Ａ）及び（Ｂ）
　（Ａ）ポリメチルシルセスキオキサン粉末
　（Ｂ）オクテニルコハク酸デンプンエステルアルミニウム以外の疎水化処理粉体（以下、疎水化処理粉体と称する）
を含有し、かつ成分（Ａ）と（Ｂ）とは複合体を形成していないことを特徴とする化粧料を提供するものである。
　　　【０００８】
　本発明の化粧料に用いられる（Ａ）成分のポリメチルシルセスキオキサン粉末はシロキサン結合が三次元的にのびた網状構造をなし、ケイ素原子に１個のメチル基が結合した無機と有機の中間的構造を有するものである。その製造方法については特開昭６３−２９７３１３号公報に詳述されている。
　　　【０００９】
　ポリメチルシルセスキオキサン粉末の粒子形は真球状であり、平均粒子径は０．１〜２０μｍ、特に２〜１２μｍのものが好ましく、さらには粒度分布が平均粒子径の±３０％の範囲にあるものが好ましい。
　　　【００１０】
　かかるポリメチルシルセスキオキサン粉末は、例えば平均粒子径５μｍの真球状粒子からなり、真比重１．３、カサ比重０．３５、比表面積１５〜３０ｃｍ２／ｇ、アマニ油吸油量７５ｍｌ／１００ｇの白色微粉末である「トスパール１２０」及び平均粒子径４．５μｍの粒子からなり、真比重１．３、カサ比重０．４３、比表面積１５〜３０ｃｍ２／ｇ、アマニ油吸油量５８ｍｌ／１００ｇの白色微粉末である「トスパール１４５」として東芝シリコーン株式会社より販売されている。
　　　【００１１】
　本発明において（Ａ）成分のポリメチルシルセスキオキサン粉末の配合量は、剤型に応じて変えることができるが、化粧料中に０．０１〜４０重量％、特に１〜２０重量％配合されることが好ましい。
　　　【００１２】
　また、本発明の化粧料に用いられる（Ｂ）成分の疎水化処理粉体は、例えば無機粉体及び有機粉体から選ばれる粉体の１種または２種以上の表面を疎水化処理することにより得られるものである。
　　　【００１３】
　表面処理法としては、例えば粉体表面に油脂を吸着させたり、水酸基等の官能基を利用し、エステル化やエーテル化を起こさせ粉体を親油的にする油脂処理法、脂肪酸の亜鉛塩やマグネシウム塩を用いる金属石鹸処理法、ジメチルポリシロキサンまたはメチル水素ポリシロキサンを用いるシリコーン処理法、パーフルオロアルキル基を有するフッ素化合物で処理する方法が挙げられる。
　　　【００１４】
　ここで、パーフルオロアルキル基を有するフッ素化合物とは、例えば一般式［ＲｆＣｎＨ２ｎＯ］ｙＰＯ（ＯＭ）３−ｙ（式中、Ｒｆは炭素数３〜２１の直鎖状又は分岐状のパーフルオロアルキル基又はパーフルオロオキシアルキル基を示す。ｎは１〜１２の数を示し、ｙは１〜３の数を示す。Ｍは水素、アルカリ金属、アンモニウム又は置換アンモニウムを示す）で表わされるパーフルオロアルキルリン酸エステル（米国特許第３６３２７４４号公報に記載）、パーフルオロアルキル基を有する樹脂（特開昭５５−１６７２０９号公報に記載）、四フッ化エチレン樹脂、パーフルオロアルコール、パーフルオロエポキシ化合物、パーフルオロカルボン酸、パーフルオロ硫酸塩、パーフルオロアルキルシラン（特開平２−２１８６０３号公報に記載）等が挙げられる。
　　　【００１５】
　処理される母粉体としては、顔料、紫外線吸収剤等の水及び油に実質的に不溶な物質であれば特に限定されず、例えば酸化チタン、酸化鉄、群青、亜鉛華、酸化マグネシウム、マイカ、セリサイト、タルク、シリカ、カオリン、水酸化クロム、カーボンブラック等の無機顔料、ナイロンパウダー、ポリメチルメタクリレート、スチレン−ジビニルベンゼン共重合体、ポリエチレン粉末等の有機粉体及び有機色素等が挙げられる。
　　　【００１６】
　これら疎水化処理粉体は、１種または２種以上を組み合わせて用いることができる。粉体の粒径は使用感触等の観点から０．０１〜８０μｍ、特に０．０５〜２０μｍが好ましい。
　　　【００１７】
　本発明において、（Ｂ）成分の疎水化処理粉体の配合量は、剤型に応じて変えることができるが、化粧料中に０．０１〜９５重量％配合される。
　　　【００１８】
　本発明の化粧料には上記の必須成分に加えて、必要に応じて通常の化粧料に配合される成分を配合しうる。例えばワセリン、ラノリン、セレシン、マイクロクリスタリンワックス、カルナウバロウ、キャンデリラロウ、高級脂肪酸、高級アルコール等の固形・半固形油分；スクワラン、流動パラフィン、エステル油、ジグリセライド、トリグリセライド、シリコーン油等の流動油分；パーフルオロポリエーテル、パーフルオロデカリン、パーフルオロオクタン等のフッ素系油剤；水溶性及び油溶性ポリマー、界面活性剤、無機及び有機顔料、有機染料等の色剤、エタノール、防腐剤、酸化防止剤、色素、増粘剤、ｐＨ調整剤、香料、紫外線吸収剤、保湿剤、血行促進剤、冷感剤、制汗剤、殺菌剤、皮膚賦活剤等は本発明の目的、効果を損なわない質的、量的範囲内で配合可能である。
　　　【００１９】
　本発明の化粧料は、通常の方法に従って製造することができ、ファンデーション、アイシャドウ、ほほ紅等のメイクアップ化粧料や乳液、クリーム等の基礎化粧料などに適用することができる。
　　　【００２０】
　　【発明の効果】
　本発明の化粧料は、肌への密着性が良好で、化粧くずれが少なく、さらに感触にすぐれており、従来の疎水化処理粉体の使用により生じていた問題点を一挙に解決するものである。
　　　【００２１】
　　【実施例】
　以下に実施例により本発明を具体的に説明するが、本発明がこれらに限定されるものでないことはいうまでもない。
　　　【００２２】
製造例１
　丸底フラスコ（またはニーダー）に顔料１５０ｇを入れ、混合しなから６０℃まで加熱する。これに、（Ｃ６Ｆ１３ＣＨ２ＣＨ２Ｏ）２Ｐ（Ｏ）ＯＨ　１３ｇをイソプロピルアルコール１５００ｇに加熱溶解（５０℃）しておいたものを加え、６０℃で４時間混合する。その後、５０〜６０℃にて、イソプロピルアルコールを減圧留去し、乾燥して疎水化処理顔料１５７ｇを得た。
　　　【００２３】
製造例２
　丸底フラスコ（またはニーダー）に顔料１５０ｇを入れ、混合しながら６０℃まで加熱する。これに、（Ｃ８Ｆ１７ＣＨ２ＣＨ２Ｏ）２Ｐ（Ｏ）ＯＨ　１３ｇをイソプロピルアルコール１５００ｇに加熱溶解（５０℃）しておいたものを加え、６０℃で４時間混合する。その後、５０〜６０℃にて、イソプロピルアルコールを減圧留去し、乾燥して疎水化処理顔料１６１ｇを得た。
　　　【００２４】
実施例１（パウダーファンデーション）
　表１に示す組成のパウダーファンデーションを下記の方法により調製した。
　調製方法；粉体成分を混合粉砕し、これをヘンシェルミキサーに移し、油剤と香料を加えて均一となるよう混合した。これを金皿にプレス成型してパウダーファンデーションを得た。
　　　【００２５】
　【表１】
　　　【００２６】
　得られた本発明品、及び比較品１、２について、その化粧持ち及び使用感（のび、及びきしみ感のないこと）を専門パネラー１０人が下記基準により官能評価した。結果を表２に示す。
　　○　…　良いと答えたパネラーが８人以上
　　△　…　良いと答えたパネラーが４〜７人以上
　　×　…　良いと答えたパネラーが３人以下
　　　【００２７】
　【表２】
　　　【００２８】
　上記結果から明らかなように、本発明品は比較品に比べ化粧持ち及び使用感にすぐれるパウダーファンデーションであった。
　　　【００２９】
実施例２（ほほ紅）
　下記組成のほほ紅を実施例１と同様にして得た。
　　　　　　　　　　　　　　　　　　　　　　　　　　　　（重量％）
（１）疎水化処理顔料（メチル水素ポリシロキサンで処理したものを後から混合）
　　　カオリン　　　　　　　　　　　　　　　　　　　　　　バランス
　　　マイカ　　　　　　　　　　　　　　　　　　　　　　　１３．０
　　　酸化チタン　　　　　　　　　　　　　　　　　　　　　１２．０
　　　酸化鉄（赤、黒、黄）　　　　　　　　　　　　　　　　　５．０
（２）赤色２０２号　　　　　　　　　　　　　　　　　　　　　２．４
（３）ポリメチルシルセスキオキサン粉末　　　　　　　　　　１５．０
　　　（「トスパール１４５」、東芝シリコーン社製）
（４）スクワラン　　　　　　　　　　　　　　　　　　　　　　７．５
（５）ジメチルポリシロキサン　　　　　　　　　　　　　　　　７．５
　　　（「ＫＦ９６Ａ」信越化学工業製、６ｃｓ）
（６）防腐剤　　　　　　　　　　　　　　　　　　　　　　　　０．１
（７）香料　　　　　　　　　　　　　　　　　　　　　　　　　０．０５
　　　【００３０】
実施例３（パウダーアイシャドウ）
　下記組成のパウダーアイシャドウを、雲母チタン以外の顔料を先に混合、粉砕した後雲母チタンを混合し、その他は実施例１と同様にして得た。
　　　【００３１】
　　　　　　　　　　　　　　　　　　　　　　　　　　　　（重量％）
（１）疎水化処理粉体（製造例２に従って処理したものを後から混合）
　　　雲母チタン　　　　　　　　　　　　　　　　　　　　　　４．９
　　　セリサイト　　　　　　　　　　　　　　　　　　　　　バランス
　　　マイカ　　　　　　　　　　　　　　　　　　　　　　　２４．７
　　　酸化鉄（赤、黄、黒）　　　　　　　　　　　　　　　　　２．０
　　　群青　　　　　　　　　　　　　　　　　　　　　　　　　９．８
　　　紺青　　　　　　　　　　　　　　　　　　　　　　　　１４．６
（２）ポリメチルシルセスキオキサン粉末　　　　　　　　　　１５．０
　　　（「トスパール１４５」、東芝シリコーン社製）
（３）ジメチルポリシロキサン　　　　　　　　　　　　　　　　１．９
　　　（「ＫＦ９６Ａ」信越化学工業製、６ｃｓ）
（４）スクワラン　　　　　　　　　　　　　　　　　　　　　　１．９
（５）ワセリン　　　　　　　　　　　　　　　　　　　　　　　１．９
（６）ソルビタントオレエート　　　　　　　　　　　　　　　　１．０
（７）防腐剤　　　　　　　　　　　　　　　　　　　　　　　　１．０
（８）香料　　　　　　　　　　　　　　　　　　　　　　　　　０．１
　　　【００３２】
実施例４（両用パウダーファンデーション）
　下記組成の両用パウダーファンデーションを、実施例１と同様にして得た。
　　　　　　　　　　　　　　　　　　　　　　　　　　　　（重量％）
（１）疎水化処理粉体（製造例２に従って処理したものを後から混合）
　　　マイカ　　　　　　　　　　　　　　　　　　　　　　　バランス
　　　タルク　　　　　　　　　　　　　　　　　　　　　　　　４．８
　　　酸化チタン　　　　　　　　　　　　　　　　　　　　　１４．０
　　　雲母チタン　　　　　　　　　　　　　　　　　　　　　　３．５
　　　酸化鉄（赤、黄、黒）　　　　　　　　　　　　　　　　　８．２
　　　酸化亜鉛　　　　　　　　　　　　　　　　　　　　　　　４．５
　　　酸化アルミニウム　　　　　　　　　　　　　　　　　　１０．０
　　　硫酸バリウム　　　　　　　　　　　　　　　　　　　　　５．０
（２）ポリメチルシルセスキオキサン粉末　　　　　　　　　　１５．０
　　　（「トスパール１４５」、東芝シリコーン社製）
（３）ジメチルポリシロキサン　　　　　　　　　　　　　　　　４．０
　　　（「ＫＦ９６Ａ」信越化学工業製、６ｃｓ）
（４）ラノリン　　　　　　　　　　　　　　　　　　　　　　　６．０
（５）ワセリン　　　　　　　　　　　　　　　　　　　　　　　１．０
（６）流動パラフィン　　　　　　　　　　　　　　　　　　　　１．０
（７）イソプロピルミリステート　　　　　　　　　　　　　　　１．０
（８）防腐剤　　　　　　　　　　　　　　　　　　　　　　　　１．５
（９）香料　　　　　　　　　　　　　　　　　　　　　　　　　０．１
　　　【００３３】
実施例５（２層分離型サンスクリーン乳液）
　下記組成の２層分離型サンスクリーン乳液を、油相を室温にて溶解した後顔料を添加しディスパーで分散させ、さらに水相を撹拌しながら添加し乳化することにより得た。
　　　　　　　　　　　　　　　　　　　　　　　　　　　　（重量％）
　（１）オクタメチルシクロテトラシロキサン　　　　　　　　２５．０
　（２）パーフルオロポリエーテル　　　　　　　　　　　　　１０．０
　　　　（「ＦＯＭＢＬＩＮ　ＨＣ−０４」、モンテフロス社製）
　（３）ジメチルポリシロキサンポリオキシアルキレン共重合体　１．０
　　　　（「ＳＨ３７７５Ｃ」、東レダウコーニング社製）
　（４）グリセリン　　　　　　　　　　　　　　　　　　　　　２．０
　（５）エタノール　　　　　　　　　　　　　　　　　　　　１２．０
　（６）精製水　　　　　　　　　　　　　　　　　　　　　　　　残量
　（７）メトキシ桂皮酸オクチル　　　　　　　　　　　　　　　２．０
　（８）疎水性酸化亜鉛（メチル水素ポリシロキサン処理）　　　７．５
　（９）ポリメチルシルセスキオキサン粉末　　　　　　　　　　７．０
　　　　（「トスパール１４５」、東芝シリコーン社製）
（１０）香料　　　　　　　　　　　　　　　　　　　　　　　　　微量
　　　【００３４】
実施例６（サンスクリーンクリーム）
　下記組成のサンスクリーンクリームを、成分１０及び１２を成分９中にディスパーにて分散させたものと成分６〜８の均一混合溶液とを撹拌下、成分１〜５の水性成分に添加し、乳化して得た。
　　　　　　　　　　　　　　　　　　　　　　　　　　　　（重量％）
　（１）ポリオキシエチレン（５０）硬化ヒマシ油　　　　　　　０．５
　（２）ポリオキシエチレン（５０）ソルビタン　　　　　　　　１．０
　　　　パルミテート
　（３）グリセリン　　　　　　　　　　　　　　　　　　　　　６．０
　（４）１，３−ブチレングリコール　　　　　　　　　　　　　６．０
　（５）精製水　　　　　　　　　　　　　　　　　　　　　　１５．５
　（６）スクワラン　　　　　　　　　　　　　　　　　　　　　５．０
　（７）ホホバ油　　　　　　　　　　　　　　　　　　　　　　５．０
　（８）オクタメチルシクロテトラシロキサン　　　　　　　　１８．０
　（９）パーフルオロポリエーテル　　　　　　　　　　　　　３３．０
　　　　（「ＦＯＭＢＬＩＮ　ＨＣ−０４」、モンテフロス社製）
（１０）疎水化処理酸化チタン（製造例２に従って処理したもの）１．０
（１１）ポリメチルシルセスキオキサン粉末　　　　　　　　　　７．０
　　　　（「トスパール１２０」、東芝シリコーン社製）
（１２）メトキシ桂皮酸オクチル　　　　　　　　　　　　　　　２．０
　　　【００３５】
実施例７（２層分離型液状ファンデーション）
　下記組成の２層分離型液状ファンデーションを、油相を室温にて溶解した後顔料を添加しディスパーで分散させ、水相を撹拌しながら添加し乳化して得た。
　　　　　　　　　　　　　　　　　　　　　　　　　　　　（重量％）
（１）疎水化処理顔料（メチル水素ポリシロキサンで処理したものを後から混合）
　　　酸化チタン　　　　　　　　　　　　　　　　　　　　　　６．０
　　　酸化鉄（赤、黄、黒）　　　　　　　　　　　　　　　　　１．２
（２）ポリメチルシルセスキオキサン粉末　　　　　　　　　　　９．０
　　　（「トスパール１４５」、東芝シリコーン社製）
（３）オクタメチルシクロテトラシロキサン　　　　　　　　　２０．０
（４）ジメチルポリシロキサン　　　　　　　　　　　　　　　１２．０
　　　（「ＫＦ９６Ａ」信越化学工業製、６ｃｓ）
（５）ジメチルポリシロキサンポリオキシアルキレン共重合体　　１．０
　　　（「ＳＨ３７７５Ｃ」、東レダウコーニング社製）
（６）グリセリン　　　　　　　　　　　　　　　　　　　　　　２．０
（７）エタノール　　　　　　　　　　　　　　　　　　　　　１５．０
（８）精製水　　　　　　　　　　　　　　　　　　　　　　　　　残量
（９）香料　　　　　　　　　　　　　　　　　　　　　　　　　　適量
　上記実施例２〜７で得られた化粧料はいずれも使用感にすぐれ、かつ化粧持ちが良好なものであった。